【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
特定参照ピクチャを含み、前記特定参照ピクチャに固定のインデックスが付与されたリストを作成し、
前記リストを用いて、対象ピクチャを符号化する
符号化方法。
【請求項２】
特定参照ピクチャを含み、前記特定参照ピクチャに固定のインデックスが付与されたリストを作成し、
前記リストを用いて、対象ピクチャを復号する
復号方法。
【請求項３】
特定参照ピクチャを含み、前記特定参照ピクチャに固定のインデックスが付与されたリストを作成するリスト作成部と、
前記リストを用いて、対象ピクチャを符号化する符号化部と、を備える
符号化装置。
【請求項４】
特定参照ピクチャを含み、前記特定参照ピクチャに固定のインデックスが付与されたリストを作成するリスト作成部と、
前記リストを用いて、対象ピクチャを復号する復号部と、を備える
復号装置。
【請求項５】
それぞれにインデックスが結びついた複数の参照ピクチャを含むリストを用いて画像を符号化する符号化方法であって、
参照ピクチャが特定参照ピクチャであるかどうかを判定し、
特定参照ピクチャと特定参照ピクチャでない参照ピクチャとを含むリストを作成し、
前記リストを用いて、対象ピクチャを符号化し、
前記リストは、固定のインデックスが前記特定参照ピクチャに結び付けられるように作成される、
符号化方法。
【請求項６】
それぞれにインデックスが結びついた複数の参照ピクチャを含むリストを用いて画像を復号する復号方法であって、
参照ピクチャが特定参照ピクチャであるかどうかを判定し、
特定参照ピクチャと特定参照ピクチャでない参照ピクチャとを含むリストを作成し、
前記リストを用いて、対象ピクチャを復号し、
前記リストは、固定のインデックスが前記特定参照ピクチャに結び付けられるように作成される、
復号方法。
【請求項７】
それぞれにインデックスが結びついた複数の参照ピクチャを含むリストを用いて画像を符号化する符号化装置であって、
参照ピクチャが特定参照ピクチャであるかどうかを判定し、
特定参照ピクチャと特定参照ピクチャでない参照ピクチャとを含むリストを作成するリスト作成部と、
前記リストを用いて、対象ピクチャを符号化する符号化部と、を備え、
前記リストは、固定のインデックスが前記特定参照ピクチャに結び付けられるように作成される、
符号化装置。
【請求項８】
それぞれにインデックスが結びついた複数の参照ピクチャを含むリストを用いて画像を復号する復号装置であって、
参照ピクチャが特定参照ピクチャであるかどうかを判定し、
特定参照ピクチャと特定参照ピクチャでない参照ピクチャとを含むリストを作成するリスト作成部と、
前記リストを用いて、対象ピクチャを復号する復号部と、を備え、
前記リストは、固定のインデックスが前記特定参照ピクチャに結び付けられるように作成される、
復号装置。
【請求項９】
前記リストは、前記特定参照ピクチャよりも画質が劣る参照ピクチャを含む
請求項１または５に記載の符号化方法。
【請求項１０】
前記特定参照ピクチャはロングタームリファレンスピクチャである
請求項１または５に記載の符号化方法。
【請求項１１】
前記リストは、時間的距離に基づいて選択されたピクチャを含む
請求項１または５に記載の符号化方法。
【請求項１２】
前記リストは、対象ピクチャに時間的距離が最も近いピクチャを含む
請求項１または５に記載の符号化方法。
【請求項１３】
前記リストは、前記特定参照ピクチャよりも画質が劣る参照ピクチャを含む
請求項２または６に記載の復号方法。
【請求項１４】
前記特定参照ピクチャはロングタームリファレンスピクチャである
請求項２または６に記載の復号方法。
【請求項１５】
前記リストは、時間的距離に基づいて選択されたピクチャを含む
請求項２または６に記載の復号方法。
【請求項１６】
前記リストは、対象ピクチャに時間的距離が最も近いピクチャを含む
請求項２または６に記載の復号方法。
【請求項１７】
前記リストは、前記特定参照ピクチャよりも画質が劣る参照ピクチャを含む
請求項３または７に記載の符号化装置。
【請求項１８】
前記特定参照ピクチャはロングタームリファレンスピクチャである
請求項３または７に記載の符号化装置。
【請求項１９】
前記リストは、時間的距離に基づいて選択されたピクチャを含む
請求項３または７に記載の符号化装置。
【請求項２０】
前記リストは、対象ピクチャに時間的距離が最も近いピクチャを含む
請求項３または７に記載の符号化装置。
【請求項２１】
前記リストは、前記特定参照ピクチャよりも画質が劣る参照ピクチャを含む
請求項４または８に記載の復号装置。
【請求項２２】
前記特定参照ピクチャはロングタームリファレンスピクチャである
請求項４または８に記載の復号装置。
【請求項２３】
前記リストは、時間的距離に基づいて選択されたピクチャを含む
請求項４または８に記載の復号装置。
【請求項２４】
前記リストは、対象ピクチャに時間的距離が最も近いピクチャを含む
請求項４または８に記載の復号装置。
【手続補正２】
【補正対象書類名】明細書
【補正対象項目名】発明の名称
【補正方法】変更
【補正の内容】
【発明の名称】符号化方法、復号方法、符号化装置、及び、復号装置
【手続補正３】
【補正対象書類名】明細書
【補正対象項目名】０００６
【補正方法】変更
【補正の内容】
【０００６】
例えば、本発明の一態様に係る符号化方法は、特定参照ピクチャを含み、前記特定参照ピクチャに固定のインデックスが付与されたリストを作成し、前記リストを用いて、対象ピクチャを符号化する。
例えば、本発明の一態様に係る復号方法は、特定参照ピクチャを含み、前記特定参照ピクチャに固定のインデックスが付与されたリストを作成し、前記リストを用いて、対象ピクチャを復号する。
例えば、本発明の一態様に係る符号化装置は、特定参照ピクチャを含み、前記特定参照ピクチャに固定のインデックスが付与されたリストを作成するリスト作成部と、前記リストを用いて、対象ピクチャを符号化する符号化部と、を備える。
例えば、本発明の一態様に係る復号装置は、特定参照ピクチャを含み、前記特定参照ピクチャに固定のインデックスが付与されたリストを作成するリスト作成部と、前記リストを用いて、対象ピクチャを復号する復号部と、を備える。
例えば、本発明の一態様に係る符号化方法は、それぞれにインデックスが結びついた複数の参照ピクチャを含むリストを用いて画像を符号化する符号化方法であって、参照ピクチャが特定参照ピクチャであるかどうかを判定し、特定参照ピクチャと特定参照ピクチャでない参照ピクチャとを含むリストを作成し、前記リストを用いて、対象ピクチャを符号化し、前記リストは、固定のインデックスが前記特定参照ピクチャに結び付けられるように作成される。
例えば、本発明の一態様に係る復号方法は、それぞれにインデックスが結びついた複数の参照ピクチャを含むリストを用いて画像を復号する復号方法であって、参照ピクチャが特定参照ピクチャであるかどうかを判定し、特定参照ピクチャと特定参照ピクチャでない参照ピクチャとを含むリストを作成し、前記リストを用いて、対象ピクチャを復号し、前記リストは、固定のインデックスが前記特定参照ピクチャに結び付けられるように作成される。
例えば、本発明の一態様に係る符号化装置は、それぞれにインデックスが結びついた複数の参照ピクチャを含むリストを用いて画像を符号化する符号化装置であって、参照ピクチャが特定参照ピクチャであるかどうかを判定し、特定参照ピクチャと特定参照ピクチャでない参照ピクチャとを含むリストを作成するリスト作成部と、前記リストを用いて、対象ピクチャを符号化する符号化部と、を備え、前記リストは、固定のインデックスが前記特定参照ピクチャに結び付けられるように作成される。
例えば、本発明の一態様に係る復号装置は、それぞれにインデックスが結びついた複数の参照ピクチャを含むリストを用いて画像を復号する復号装置であって、参照ピクチャが特定参照ピクチャであるかどうかを判定し、特定参照ピクチャと特定参照ピクチャでない参照ピクチャとを含むリストを作成するリスト作成部と、前記リストを用いて、対象ピクチャを復号する復号部と、を備え、前記リストは、固定のインデックスが前記特定参照ピクチャに結び付けられるように作成される。
前記リストは、前記特定参照ピクチャよりも画質が劣る参照ピクチャを含んでもよい。
前記特定参照ピクチャはロングタームリファレンスピクチャでもよい。
前記リストは、時間的距離に基づいて選択されたピクチャを含んでもよい。
前記リストは、対象ピクチャに時間的距離が最も近いピクチャを含んでもよい。
例えば、本発明の一態様に係る動画像符号化方法は、複数の参照ピクチャを用いて動画像の対象ピクチャを符号化する動画像符号化方法であって、前記複数の参照ピクチャそれぞれの（１）量子化パラメータ及び（２）対象ピクチャとの時間的距離を用いて、前記複数の参照ピクチャからなる参照ピクチャのリストを作成し、前記参照ピクチャのリストを用いて、前記動画像の対象ピクチャを符号化する。